【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
広視野ビデオをコード化してビットストリームにする方法であって、前記広視野ビデオの少なくとも１つのピクチャが、表面として表され、前記表面が、投影関数を使用して少なくとも１つの２Ｄピクチャに投影され、前記方法が、現在のイントラ予測モードｍに従ってコード化される前記少なくとも１つの２Ｄピクチャの少なくとも１つの現在のブロックに対して、
前記投影関数から、前記２Ｄピクチャの前記現在のブロックに空間的に隣接していない、第１の近隣のブロックＣと呼ばれる前記２Ｄピクチャの少なくとも１つの近隣のブロックを決定することであって、前記少なくとも１つの近隣のブロックが、前記表面上の前記現在のブロックに空間的に隣接する、決定することと、
前記第１の近隣のブロックＣのイントラ予測モードｍ＿Ｃに基づいて、さらに、第２の近隣のブロックＡのイントラ予測モードｍ＿Ａ及び第３の近隣のブロックＢのイントラ予測モードｍ＿Ｂに少なくとも基づいて、最確モードのリストを決定することであって、前記第２及び第３の近隣のブロックが、前記２Ｄピクチャの前記現在のブロックに空間的に隣接する、決定することと、
前記最確モードのリストから前記現在のイントラ予測モードを符号化することと、
を含む、方法。
【請求項２】
前記最確モードのリストを決定することが、
ｍ＿Ａ及びｍ＿Ｂが異なれば、以下の通り
ｍ＿Ｃがｍ＿Ａ又はｍ＿Ｂのいずれかと等しければ、前記最確モードのリストが、ｍ＿Ａ及びｍ＿Ｂ並びに追加のイントラ予測モードを含み、前記追加のイントラ予測モードが、ｍ＿Ａもｍ＿Ｂも平面モードではない場合は、平面モードと等しく、ｍ＿Ａ又はｍ＿Ｂが平面モードであるが、ｍ＿Ａもｍ＿ＢもＤＣモードではない場合は、ＤＣモードと等しく、そうでなければ、垂直イントラ予測モードと等しいように、
そうでなければ、前記最確モードのリストが、ｍ＿Ａ、ｍ＿Ｂ及びｍ＿Ｃを含むように前記リストを決定すること、
ｍ＿Ａ及びｍ＿Ｂが等しければ、以下の通り
ｍ＿Ｃがｍ＿Ａと等しければ、前記最確モードのリストが、ｍ＿Ａが平面及びＤＣモードと異なる場合は、ｍ＿Ａ及びｍ＿Ａの２つの隣接する角度モードを含むか、そうでなければ、前記最確モードのリストが、平面モード、ＤＣモード及び垂直モードを含むように、
そうでなければ、前記最確モードのリストが、ｍ＿Ａ及びｍ＿Ｃ並びに追加のイントラ予測モードを含み、前記追加のイントラ予測モードが、ｍ＿Ａもｍ＿Ｃも平面モードではない場合は、平面モードと等しく、ｍ＿Ａ又はｍ＿Ｃが平面モードであるが、ｍ＿Ａもｍ＿ＣもＤＣモードではない場合は、ＤＣモードと等しく、そうでなければ、垂直イントラ予測モードと等しいように前記リストを決定すること、
を含む、請求項１に記載の方法。
【請求項３】
前記現在のイントラ予測モードを符号化することが、
前記現在のイントラ予測モードが前記最確モードのリストのうちの１つのモードと等しいかどうかを示すフラグを符号化することと、
前記現在のイントラ予測モードが前記最確モードのリストのうちの１つのモードと等しい場合は、前記現在のイントラ予測モードと等しい前記リストの前記最確モードを識別するインデックスを符号化し、そうでなければ、前記現在のイントラ予測モードを識別するインデックスを符号化することと、
を含む、請求項１又は２に記載の方法。
【請求項４】
前記投影関数に関連する情報のアイテムをコード化することをさらに含む、請求項１〜３のいずれか一項に記載の方法。
【請求項５】
前記３Ｄ表面が球体であり、前記投影関数が正距円筒投影である、請求項１〜４のいずれか一項に記載の方法。
【請求項６】
広視野ビデオをコード化してビットストリームにする装置であって、前記広視野ビデオの少なくとも１つのピクチャが、表面として表され、前記表面が、投影関数を使用して少なくとも１つの２Ｄピクチャに投影され、前記装置が、
現在のイントラ予測モードｍに従ってコード化される前記少なくとも１つの２Ｄピクチャの少なくとも１つの現在のブロックに対して、前記投影関数から、前記２Ｄピクチャの前記現在のブロックに空間的に隣接していない、第１の近隣のブロックＣと呼ばれる前記２Ｄピクチャの少なくとも１つの近隣のブロックを決定する手段であって、前記少なくとも１つの近隣のブロックが、前記表面上の前記現在のブロックに空間的に隣接する、手段と、
前記第１の近隣のブロックＣのイントラ予測モードｍ＿Ｃに基づいて、さらに、第２の近隣のブロックＡのイントラ予測モードｍ＿Ａ及び第３の近隣のブロックＢのイントラ予測モードｍ＿Ｂに少なくとも基づいて、最確モードのリストを決定する手段であって、前記第２及び第３の近隣のブロックが、前記２Ｄピクチャの前記現在のブロックに空間的に隣接する、手段と、
前記最確モードのリストから前記現在のイントラ予測モードを符号化する手段と
を含む、装置。
【請求項７】
前記最確モードのリストを決定する手段が、以下の通り
ｍ＿Ａ及びｍ＿Ｂが異なれば、
ｍ＿Ｃがｍ＿Ａ又はｍ＿Ｂのいずれかと等しければ、前記最確モードのリストが、ｍ＿Ａ及びｍ＿Ｂ並びに追加のイントラ予測モードを含み、前記追加のイントラ予測モードが、ｍ＿Ａもｍ＿Ｂも平面モードではない場合は、平面モードと等しく、ｍ＿Ａ又はｍ＿Ｂが平面モードであるが、ｍ＿Ａもｍ＿ＢもＤＣモードではない場合は、ＤＣモードと等しく、そうでなければ、垂直イントラ予測モードと等しいように、
そうでなければ、前記最確モードのリストが、ｍ＿Ａ、ｍ＿Ｂ及びｍ＿Ｃを含むように、
ｍ＿Ａ及びｍ＿Ｂが等しければ、
ｍ＿Ｃがｍ＿Ａと等しければ、前記最確モードのリストが、ｍ＿Ａが平面及びＤＣモードと異なる場合は、ｍ＿Ａ及びｍ＿Ａの２つの隣接する角度モードを含むか、そうでなければ、前記最確モードのリストが、平面モード、ＤＣモード及び垂直モードを含むように、
そうでなければ、前記最確モードのリストが、ｍ＿Ａ及びｍ＿Ｃ並びに追加のイントラ予測モードを含み、前記追加のイントラ予測モードが、ｍ＿Ａもｍ＿Ｃも平面モードではない場合は、平面モードと等しく、ｍ＿Ａ又はｍ＿Ｃが平面モードであるが、ｍ＿Ａもｍ＿ＣもＤＣモードではない場合は、ＤＣモードと等しく、そうでなければ、垂直イントラ予測モードと等しいように
前記最確モードのリストを決定するように構成されている、請求項６に記載の装置。
【請求項８】
前記現在のイントラ予測モードを符号化する前記手段が、
前記現在のイントラ予測モードが前記最確モードのリストのうちの１つのモードと等しいかどうかを示すフラグを符号化することと、
前記現在のイントラ予測モードが前記最確モードのリストのうちの１つのモードと等しい場合は、前記現在のイントラ予測モードと等しい前記リストの前記最確モードを識別するインデックスを符号化し、そうでなければ、前記現在のイントラ予測モードを識別するインデックスを符号化することと、
を行うように構成されている、請求項６又は７に記載の装置。
【請求項９】
前記符号化する手段が、前記投影関数に関連する情報のアイテムを符号化するようにさらに構成されている、請求項６〜８のいずれか一項に記載の装置。
【請求項１０】
前記３Ｄ表面が球体であり、前記投影関数が正距円筒投影である、請求項６〜９のいずれか一項に記載の装置。
【請求項１１】
広視野ビデオを表すビットストリームを復号する方法であって、前記広視野ビデオの少なくとも１つのピクチャが、表面として表され、前記表面が、投影関数を使用して少なくとも１つの２Ｄピクチャに投影され、前記方法が、現在のイントラ予測モードｍに従ってコード化された前記少なくとも１つの２Ｄピクチャの少なくとも１つの現在のブロックに対して、
前記投影関数から、前記２Ｄピクチャの前記現在のブロックに空間的に隣接していない、第１の近隣のブロックＣと呼ばれる前記２Ｄピクチャの少なくとも１つの近隣のブロックを決定することであって、前記少なくとも１つの近隣のブロックが、前記表面上の前記現在のブロックに空間的に隣接する、決定することと、
前記第１の近隣のブロックＣのイントラ予測モードｍ＿Ｃに基づいて、さらに、第２の近隣のブロックＡのイントラ予測モードｍ＿Ａ及び第３の近隣のブロックＢのイントラ予測モードｍ＿Ｂに少なくとも基づいて、最確モードのリストを決定することであって、前記第２及び第３の近隣のブロックが、前記２Ｄピクチャの前記現在のブロックに空間的に隣接する、決定することと、
前記最確モードのリストから前記現在のイントラ予測モードを復号することと、
を含む、方法。
【請求項１２】
前記最確モードのリストを決定することが、
ｍ＿Ａ及びｍ＿Ｂが異なれば、以下の通り
ｍ＿Ｃがｍ＿Ａ又はｍ＿Ｂのいずれかと等しければ、前記最確モードのリストが、ｍ＿Ａ及びｍ＿Ｂ並びに追加のイントラ予測モードを含み、前記追加のイントラ予測モードが、ｍ＿Ａもｍ＿Ｂも平面モードではない場合は、平面モードと等しく、ｍ＿Ａ又はｍ＿Ｂが平面モードであるが、ｍ＿Ａもｍ＿ＢもＤＣモードではない場合は、ＤＣモードと等しく、そうでなければ、垂直イントラ予測モードと等しいように、
そうでなければ、前記最確モードのリストが、ｍ＿Ａ、ｍ＿Ｂ及びｍ＿Ｃを含むように前記リストを決定すること、
ｍ＿Ａ及びｍ＿Ｂが等しければ、以下の通り
ｍ＿Ｃがｍ＿Ａと等しければ、前記最確モードのリストが、ｍ＿Ａが平面及びＤＣモードと異なる場合は、ｍ＿Ａ及びｍ＿Ａの２つの隣接する角度モードを含むか、そうでなければ、前記最確モードのリストが、平面モード、ＤＣモード及び垂直モードを含むように、
そうでなければ、前記最確モードのリストが、ｍ＿Ａ及びｍ＿Ｃ並びに追加のイントラ予測モードを含み、前記追加のイントラ予測モードが、ｍ＿Ａもｍ＿Ｃも平面モードではない場合は、平面モードと等しく、ｍ＿Ａ又はｍ＿Ｃが平面モードであるが、ｍ＿Ａもｍ＿ＣもＤＣモードではない場合は、ＤＣモードと等しく、そうでなければ、垂直イントラ予測モードと等しいように前記リストを決定すること
を含む、請求項１１に記載の方法。
【請求項１３】
前記現在のイントラ予測モードを復号することが、
前記現在のイントラ予測モードが前記最確モードのリストのうちの１つのモードと等しいかどうかを示すフラグを復号することと、
前記現在のイントラ予測モードが前記最確モードのリストのうちの１つのモードと等しい場合は、前記現在のイントラ予測モードと等しい前記リストの前記最確モードを識別するインデックスを復号し、そうでなければ、前記現在のイントラ予測モードを識別するインデックスを復号することと、
を含む、請求項１１又は１２に記載の方法。
【請求項１４】
前記投影関数に関連する情報のアイテムを復号することをさらに含む、請求項１１〜１３のいずれか一項に記載の方法。
【請求項１５】
前記３Ｄ表面が球体であり、前記投影関数が正距円筒投影である、請求項１１〜１４のいずれか一項に記載の方法。
【請求項１６】
広視野ビデオを表すビットストリームを復号する装置であって、前記広視野ビデオの少なくとも１つのピクチャが、表面として表され、前記表面が、投影関数を使用して少なくとも１つの２Ｄピクチャに投影され、前記装置が、
現在のイントラ予測モードｍに従ってコード化された前記少なくとも１つの２Ｄピクチャの少なくとも１つの現在のブロックに対して、前記投影関数から、前記２Ｄピクチャの前記現在のブロックに空間的に隣接していない、第１の近隣のブロックＣと呼ばれる前記２Ｄピクチャの少なくとも１つの近隣のブロックを決定する手段であって、前記少なくとも１つの近隣のブロックが、前記表面上の前記現在のブロックに空間的に隣接する、手段と、
前記第１の近隣のブロックＣのイントラ予測モードｍ＿Ｃに基づいて、さらに、第２の近隣のブロックＡのイントラ予測モードｍ＿Ａ及び第３の近隣のブロックＢのイントラ予測モードｍ＿Ｂに少なくとも基づいて、最確モードのリストを決定する手段であって、前記第２及び第３の近隣のブロックが、前記２Ｄピクチャの前記現在のブロックに空間的に隣接する、手段と、
前記最確モードのリストから前記現在のイントラ予測モードを復号する手段と
を含む、装置。
【請求項１７】
最確モードのリストを決定する前記手段が、以下の通り：
ｍ＿Ａ及びｍ＿Ｂが異なれば、
ｍ＿Ｃがｍ＿Ａ又はｍ＿Ｂのいずれかと等しければ、前記最確モードのリストが、ｍ＿Ａ及びｍ＿Ｂ並びに追加のイントラ予測モードを含み、前記追加のイントラ予測モードが、ｍ＿Ａもｍ＿Ｂも平面モードではない場合は、平面モードと等しく、ｍ＿Ａ又はｍ＿Ｂが平面モードであるが、ｍ＿Ａもｍ＿ＢもＤＣモードではない場合は、ＤＣモードと等しく、そうでなければ、垂直イントラ予測モードと等しいように、
そうでなければ、前記最確モードのリストが、ｍ＿Ａ、ｍ＿Ｂ及びｍ＿Ｃを含むように、
ｍ＿Ａ及びｍ＿Ｂが等しければ、
ｍ＿Ｃがｍ＿Ａと等しければ、前記最確モードのリストが、ｍ＿Ａが平面及びＤＣモードと異なる場合は、ｍ＿Ａ及びｍ＿Ａの２つの隣接する角度モードを含むか、そうでなければ、前記最確モードのリストが、平面モード、ＤＣモード及び垂直モードを含むように、
そうでなければ、前記最確モードのリストが、ｍ＿Ａ及びｍ＿Ｃ並びに追加のイントラ予測モードを含み、前記追加のイントラ予測モードが、ｍ＿Ａもｍ＿Ｃも平面モードではない場合は、平面モードと等しく、ｍ＿Ａ又はｍ＿Ｃが平面モードであるが、ｍ＿Ａもｍ＿ＣもＤＣモードではない場合は、ＤＣモードと等しく、そうでなければ、垂直イントラ予測モードと等しいように
前記最確モードのリストを決定するように構成されている、請求項１６に記載の装置。
【請求項１８】
前記現在のイントラ予測モードを復号する前記手段が、
前記現在のイントラ予測モードが前記最確モードのリストのうちの１つのモードと等しいかどうかを示すフラグを復号することと、
前記現在のイントラ予測モードが前記最確モードのリストのうちの１つのモードと等しい場合は、前記現在のイントラ予測モードと等しい前記リストの前記最確モードを識別するインデックスを復号し、そうでなければ、前記現在のイントラ予測モードを識別するインデックスを復号することと、
を行うように構成されている、請求項１７に記載の装置。
【請求項１９】
前記復号する手段が、前記投影関数に関連する情報のアイテムを復号するようにさらに構成されている、請求項１６〜１８のいずれか一項に記載の装置。
【請求項２０】
前記３Ｄ表面が球体であり、前記投影関数が正距円筒投影である、請求項１６〜１９のいずれか一項に記載の装置。
【請求項２１】
請求項１６〜２０のいずれか一項に記載の広視野ビデオを表すビットストリームを復号する装置を含む没入型レンダリングデバイス。
【請求項２２】
符号化してビットストリームにされた広視野ビデオの没入型レンダリングのシステムであって、
データネットワークから前記ビットストリームを受信するネットワークインタフェースと、
請求項１６〜２０のいずれか一項に記載の前記ビットストリームを復号する装置と、
没入型レンダリングデバイスと、
を少なくとも含む、システム。
【手続補正２】
【補正対象書類名】明細書
【補正対象項目名】０１６９
【補正方法】変更
【補正の内容】
【０１６９】
また、装置は、データネットワーク、ゲートウェイ又はセットトップボックスから復号予定の全方向ビデオを表すビットストリームＳＴＲを受信するためのインタフェースＣＯＭＩＮも含む。
なお、上述の実施形態の一部又は全部は、以下の付記のように記載され得るが、以下には限定されない。
（付記１）
広視野ビデオをコード化してビットストリームにする方法であって、前記広視野ビデオの少なくとも１つのピクチャが、表面として表され、前記表面が、投影関数を使用して少なくとも１つの２Ｄピクチャに投影され、前記方法が、現在のイントラ予測モードｍに従ってコード化される前記少なくとも１つの２Ｄピクチャの少なくとも１つの現在のブロックに対して、
−  前記投影関数から、前記２Ｄピクチャの前記現在のブロックに空間的に隣接していない、第１の近隣のブロックＣと呼ばれる前記２Ｄピクチャの少なくとも１つの近隣のブロックを決定することであって、前記少なくとも１つの近隣のブロックが、前記表面上の前記現在のブロックに空間的に隣接する、決定することと、
−  前記第１の近隣のブロックＣのイントラ予測モードｍ＿Ｃに基づいて、さらに、第２の近隣のブロックＡのイントラ予測モードｍ＿Ａ及び第３の近隣のブロックＢのイントラ予測モードｍ＿Ｂに少なくとも基づいて、最確モードのリストを決定することであって、前記第２及び第３の近隣のブロックが、前記２Ｄピクチャの前記現在のブロックに空間的に隣接する、決定することと、
−  前記最確モードのリストから前記現在のイントラ予測モードを符号化することと
を含む、方法。
（付記２）
前記最確モードのリストを決定することが、
−  ｍ＿Ａ及びｍ＿Ｂが異なれば、以下の通り：
ｍ＿Ｃがｍ＿Ａ又はｍ＿Ｂのいずれかと等しければ、前記最確モードのリストが、ｍ＿Ａ及びｍ＿Ｂ並びに追加のイントラ予測モードを含み、前記追加のイントラ予測モードが、ｍ＿Ａもｍ＿Ｂも平面モードではない場合は、平面モードと等しく、ｍ＿Ａ又はｍ＿Ｂが平面モードであるが、ｍ＿Ａもｍ＿ＢもＤＣモードではない場合は、ＤＣモードと等しく、そうでなければ、垂直イントラ予測モードと等しいように、
そうでなければ、前記最確モードのリストが、ｍ＿Ａ、ｍ＿Ｂ及びｍ＿Ｃを含むように前記リストを決定すること、
−  ｍ＿Ａ及びｍ＿Ｂが等しければ、以下の通り：
ｍ＿Ｃがｍ＿Ａと等しければ、前記最確モードのリストが、ｍ＿Ａが平面及びＤＣモードと異なる場合は、ｍ＿Ａ及びｍ＿Ａの２つの隣接する角度モードを含むか、そうでなければ、前記最確モードのリストが、平面モード、ＤＣモード及び垂直モードを含むように、
そうでなければ、前記最確モードのリストが、ｍ＿Ａ及びｍ＿Ｃ並びに追加のイントラ予測モードを含み、前記追加のイントラ予測モードが、ｍ＿Ａもｍ＿Ｃも平面モードではない場合は、平面モードと等しく、ｍ＿Ａ又はｍ＿Ｃが平面モードであるが、ｍ＿Ａもｍ＿ＣもＤＣモードではない場合は、ＤＣモードと等しく、そうでなければ、垂直イントラ予測モードと等しいように前記リストを決定すること
を含む、付記１に記載の方法。
（付記３）
前記現在のイントラ予測モードを符号化することが、
−  前記現在のイントラ予測モードが前記最確モードのリストのうちの１つのモードと等しいかどうかを示すフラグを符号化することと、
−  前記現在のイントラ予測モードが前記最確モードのリストのうちの１つのモードと等しい場合は、前記現在のイントラ予測モードと等しい前記リストの前記最確モードを識別するインデックスを符号化し、そうでなければ、前記現在のイントラ予測モードを識別するインデックスを符号化することと
を含む、付記１又は２に記載の方法。
（付記４）
前記投影関数に関連する情報のアイテムをコード化することをさらに含む、付記１〜３のいずれか一つに記載の方法。
（付記５）
前記３Ｄ表面が球体であり、前記投影関数が正距円筒投影である、付記１〜４のいずれか一つに記載の方法。
（付記６）
広視野ビデオをコード化してビットストリームにする装置であって、前記広視野ビデオの少なくとも１つのピクチャが、表面として表され、前記表面が、投影関数を使用して少なくとも１つの２Ｄピクチャに投影され、前記装置が、
−  現在のイントラ予測モードｍに従ってコード化される前記少なくとも１つの２Ｄピクチャの少なくとも１つの現在のブロックに対して、前記投影関数から、前記２Ｄピクチャの前記現在のブロックに空間的に隣接していない、第１の近隣のブロックＣと呼ばれる前記２Ｄピクチャの少なくとも１つの近隣のブロックを決定する手段であって、前記少なくとも１つの近隣のブロックが、前記表面上の前記現在のブロックに空間的に隣接する、手段と、
−  前記第１の近隣のブロックＣのイントラ予測モードｍ＿Ｃに基づいて、さらに、第２の近隣のブロックＡのイントラ予測モードｍ＿Ａ及び第３の近隣のブロックＢのイントラ予測モードｍ＿Ｂに少なくとも基づいて、最確モードのリストを決定する手段であって、前記第２及び第３の近隣のブロックが、前記２Ｄピクチャの前記現在のブロックに空間的に隣接する、手段と、
−  前記最確モードのリストから前記現在のイントラ予測モードを符号化する手段と
を含む、装置。
（付記７）
前記最確モードのリストを決定する手段が、以下の通り：
−  ｍ＿Ａ及びｍ＿Ｂが異なれば、
ｍ＿Ｃがｍ＿Ａ又はｍ＿Ｂのいずれかと等しければ、前記最確モードのリストが、ｍ＿Ａ及びｍ＿Ｂ並びに追加のイントラ予測モードを含み、前記追加のイントラ予測モードが、ｍ＿Ａもｍ＿Ｂも平面モードではない場合は、平面モードと等しく、ｍ＿Ａ又はｍ＿Ｂが平面モードであるが、ｍ＿Ａもｍ＿ＢもＤＣモードではない場合は、ＤＣモードと等しく、そうでなければ、垂直イントラ予測モードと等しいように、
そうでなければ、前記最確モードのリストが、ｍ＿Ａ、ｍ＿Ｂ及びｍ＿Ｃを含むように、
−  ｍ＿Ａ及びｍ＿Ｂが等しければ、
ｍ＿Ｃがｍ＿Ａと等しければ、前記最確モードのリストが、ｍ＿Ａが平面及びＤＣモードと異なる場合は、ｍ＿Ａ及びｍ＿Ａの２つの隣接する角度モードを含むか、そうでなければ、前記最確モードのリストが、平面モード、ＤＣモード及び垂直モードを含むように、
そうでなければ、前記最確モードのリストが、ｍ＿Ａ及びｍ＿Ｃ並びに追加のイントラ予測モードを含み、前記追加のイントラ予測モードが、ｍ＿Ａもｍ＿Ｃも平面モードではない場合は、平面モードと等しく、ｍ＿Ａ又はｍ＿Ｃが平面モードであるが、ｍ＿Ａもｍ＿ＣもＤＣモードではない場合は、ＤＣモードと等しく、そうでなければ、垂直イントラ予測モードと等しいように
前記最確モードのリストを決定するように構成されている、付記６に記載の装置。
（付記８）
前記現在のイントラ予測モードを符号化する前記手段が、
−  前記現在のイントラ予測モードが前記最確モードのリストのうちの１つのモードと等しいかどうかを示すフラグを符号化することと、
−  前記現在のイントラ予測モードが前記最確モードのリストのうちの１つのモードと等しい場合は、前記現在のイントラ予測モードと等しい前記リストの前記最確モードを識別するインデックスを符号化し、そうでなければ、前記現在のイントラ予測モードを識別するインデックスを符号化することと
を行うように構成されている、付記６又は７に記載の装置。
（付記９）
前記符号化する手段が、前記投影関数に関連する情報のアイテムを符号化するようにさらに構成されている、付記６〜８のいずれか一つに記載の装置。
（付記１０）
前記３Ｄ表面が球体であり、前記投影関数が正距円筒投影である、付記６〜９のいずれか一つに記載の装置。
（付記１１）
広視野ビデオを表すビットストリームを復号する方法であって、前記広視野ビデオの少なくとも１つのピクチャが、表面として表され、前記表面が、投影関数を使用して少なくとも１つの２Ｄピクチャに投影され、前記方法が、現在のイントラ予測モードｍに従ってコード化された前記少なくとも１つの２Ｄピクチャの少なくとも１つの現在のブロックに対して、
−  前記投影関数から、前記２Ｄピクチャの前記現在のブロックに空間的に隣接していない、第１の近隣のブロックＣと呼ばれる前記２Ｄピクチャの少なくとも１つの近隣のブロックを決定することであって、前記少なくとも１つの近隣のブロックが、前記表面上の前記現在のブロックに空間的に隣接する、決定することと、
−  前記第１の近隣のブロックＣのイントラ予測モードｍ＿Ｃに基づいて、さらに、第２の近隣のブロックＡのイントラ予測モードｍ＿Ａ及び第３の近隣のブロックＢのイントラ予測モードｍ＿Ｂに少なくとも基づいて、最確モードのリストを決定することであって、前記第２及び第３の近隣のブロックが、前記２Ｄピクチャの前記現在のブロックに空間的に隣接する、決定することと、
−  前記最確モードのリストから前記現在のイントラ予測モードを復号することと
を含む、方法。
（付記１２）
前記最確モードのリストを決定することが、
−  ｍ＿Ａ及びｍ＿Ｂが異なれば、以下の通り：
ｍ＿Ｃがｍ＿Ａ又はｍ＿Ｂのいずれかと等しければ、前記最確モードのリストが、ｍ＿Ａ及びｍ＿Ｂ並びに追加のイントラ予測モードを含み、前記追加のイントラ予測モードが、ｍ＿Ａもｍ＿Ｂも平面モードではない場合は、平面モードと等しく、ｍ＿Ａ又はｍ＿Ｂが平面モードであるが、ｍ＿Ａもｍ＿ＢもＤＣモードではない場合は、ＤＣモードと等しく、そうでなければ、垂直イントラ予測モードと等しいように、
そうでなければ、前記最確モードのリストが、ｍ＿Ａ、ｍ＿Ｂ及びｍ＿Ｃを含むように前記リストを決定すること、
−  ｍ＿Ａ及びｍ＿Ｂが等しければ、以下の通り：
ｍ＿Ｃがｍ＿Ａと等しければ、前記最確モードのリストが、ｍ＿Ａが平面及びＤＣモードと異なる場合は、ｍ＿Ａ及びｍ＿Ａの２つの隣接する角度モードを含むか、そうでなければ、前記最確モードのリストが、平面モード、ＤＣモード及び垂直モードを含むように、
そうでなければ、前記最確モードのリストが、ｍ＿Ａ及びｍ＿Ｃ並びに追加のイントラ予測モードを含み、前記追加のイントラ予測モードが、ｍ＿Ａもｍ＿Ｃも平面モードではない場合は、平面モードと等しく、ｍ＿Ａ又はｍ＿Ｃが平面モードであるが、ｍ＿Ａもｍ＿ＣもＤＣモードではない場合は、ＤＣモードと等しく、そうでなければ、垂直イントラ予測モードと等しいように前記リストを決定すること
を含む、付記１１に記載の方法。
（付記１３）
前記現在のイントラ予測モードを復号することが、
−  前記現在のイントラ予測モードが前記最確モードのリストのうちの１つのモードと等しいかどうかを示すフラグを復号することと、
−  前記現在のイントラ予測モードが前記最確モードのリストのうちの１つのモードと等しい場合は、前記現在のイントラ予測モードと等しい前記リストの前記最確モードを識別するインデックスを復号し、そうでなければ、前記現在のイントラ予測モードを識別するインデックスを復号することと
を含む、付記１１又は１２に記載の方法。
（付記１４）
前記投影関数に関連する情報のアイテムを復号することをさらに含む、付記１１〜１３のいずれか一つに記載の方法。
（付記１５）
前記３Ｄ表面が球体であり、前記投影関数が正距円筒投影である、付記１１〜１４のいずれか一つに記載の方法。
（付記１６）
広視野ビデオを表すビットストリームを復号する装置であって、前記広視野ビデオの少なくとも１つのピクチャが、表面として表され、前記表面が、投影関数を使用して少なくとも１つの２Ｄピクチャに投影され、前記装置が、
−  現在のイントラ予測モードｍに従ってコード化された前記少なくとも１つの２Ｄピクチャの少なくとも１つの現在のブロックに対して、前記投影関数から、前記２Ｄピクチャの前記現在のブロックに空間的に隣接していない、第１の近隣のブロックＣと呼ばれる前記２Ｄピクチャの少なくとも１つの近隣のブロックを決定する手段であって、前記少なくとも１つの近隣のブロックが、前記表面上の前記現在のブロックに空間的に隣接する、手段と、
−  前記第１の近隣のブロックＣのイントラ予測モードｍ＿Ｃに基づいて、さらに、第２の近隣のブロックＡのイントラ予測モードｍ＿Ａ及び第３の近隣のブロックＢのイントラ予測モードｍ＿Ｂに少なくとも基づいて、最確モードのリストを決定する手段であって、前記第２及び第３の近隣のブロックが、前記２Ｄピクチャの前記現在のブロックに空間的に隣接する、手段と、
−  前記最確モードのリストから前記現在のイントラ予測モードを復号する手段と
を含む、装置。
（付記１７）
最確モードのリストを決定する前記手段が、以下の通り：
−  ｍ＿Ａ及びｍ＿Ｂが異なれば、
ｍ＿Ｃがｍ＿Ａ又はｍ＿Ｂのいずれかと等しければ、前記最確モードのリストが、ｍ＿Ａ及びｍ＿Ｂ並びに追加のイントラ予測モードを含み、前記追加のイントラ予測モードが、ｍ＿Ａもｍ＿Ｂも平面モードではない場合は、平面モードと等しく、ｍ＿Ａ又はｍ＿Ｂが平面モードであるが、ｍ＿Ａもｍ＿ＢもＤＣモードではない場合は、ＤＣモードと等しく、そうでなければ、垂直イントラ予測モードと等しいように、
そうでなければ、前記最確モードのリストが、ｍ＿Ａ、ｍ＿Ｂ及びｍ＿Ｃを含むように、
−  ｍ＿Ａ及びｍ＿Ｂが等しければ、
ｍ＿Ｃがｍ＿Ａと等しければ、前記最確モードのリストが、ｍ＿Ａが平面及びＤＣモードと異なる場合は、ｍ＿Ａ及びｍ＿Ａの２つの隣接する角度モードを含むか、そうでなければ、前記最確モードのリストが、平面モード、ＤＣモード及び垂直モードを含むように、
そうでなければ、前記最確モードのリストが、ｍ＿Ａ及びｍ＿Ｃ並びに追加のイントラ予測モードを含み、前記追加のイントラ予測モードが、ｍ＿Ａもｍ＿Ｃも平面モードではない場合は、平面モードと等しく、ｍ＿Ａ又はｍ＿Ｃが平面モードであるが、ｍ＿Ａもｍ＿ＣもＤＣモードではない場合は、ＤＣモードと等しく、そうでなければ、垂直イントラ予測モードと等しいように
前記最確モードのリストを決定するように構成されている、付記１６に記載の装置。
（付記１８）
前記現在のイントラ予測モードを復号する前記手段が、
−  前記現在のイントラ予測モードが前記最確モードのリストのうちの１つのモードと等しいかどうかを示すフラグを復号することと、
−  前記現在のイントラ予測モードが前記最確モードのリストのうちの１つのモードと等しい場合は、前記現在のイントラ予測モードと等しい前記リストの前記最確モードを識別するインデックスを復号し、そうでなければ、前記現在のイントラ予測モードを識別するインデックスを復号することと
を行うように構成されている、付記１７に記載の装置。
（付記１９）
前記復号する手段が、前記投影関数に関連する情報のアイテムを復号するようにさらに構成されている、付記１６〜１８のいずれか一つに記載の装置。
（付記２０）
前記３Ｄ表面が球体であり、前記投影関数が正距円筒投影である、付記１６〜１９のいずれか一つに記載の装置。
（付記２１）
付記１６〜２０のいずれか一つに記載の広視野ビデオを表すビットストリームを復号する装置を含む没入型レンダリングデバイス。
（付記２２）
符号化してビットストリームにされた広視野ビデオの没入型レンダリングのシステムであって、
−  データネットワークから前記ビットストリームを受信するネットワークインタフェース（６００）と、
−  付記１６〜２０のいずれか一つに記載の前記ビットストリームを復号する装置（７００）と、
−  没入型レンダリングデバイス（９００）と
を少なくとも含む、システム。